(57)【要約】      （修正有）【課題】浮きパターンを用いずに、フレキシブル基板が所望の位置で自然と曲がる様にすることが出来るフレキシブル基板の折り曲げ指標を提供する。【解決手段】配線パターン１１９と前記配線パターンを保護するカバーレイフィルムと１８０°折り曲げ部を有するフレキシブル基板１１３において、前記フレキシブル基板の対向する辺のそれぞれに二つずつ、各辺合わせて計四つの突起１３０，１３１，１３２を設け、前記突起は前記折り曲げ部Ｂの折り目と略平行な方向に前記フレキシブル基板から突出した形状であって、各辺の２つの突起の間が前記折り曲げ部となり、前記４つの突起に囲まれた領域の一部の部分のカバーレイフィルムが除去されており、前記各突起の前記折り目と垂直な方向の幅に該当する部分のカバーレイフィルムが除去されておらず、前記カバーレイフィルムが除去された部分には前記配線パターンが存在しない。【選択図】図４
2016018788.tif 000002
【特許請求の範囲】
【請求項１】
配線パターン１１９と前記配線パターン１１９を保護するカバーレイフィルム１２４と１８０°折り曲げ部１１５を有するフレキシブル基板１１３において、
前記フレキシブル基板１１３の対向する辺のそれぞれに二つずつ、各辺合わせて計四つの突起１３０・１３１・１３２を設け、
前記突起１３０・１３１・１３２は前記折り曲げ部１１５の折り目と平行な方向に前記フレキシブル基板１１３から突出した形状であって、
各辺の２つの突起１３０・１３１・１３２の間が前記折り曲げ部１１５となり、
前記４つの突起１３０・１３１・１３２に囲まれた領域の一部の部分のカバーレイフィルム１２４が除去されており、
前記各突起１３０・１３１・１３２の前記折り目と垂直な方向の幅に該当する部分のカバーレイフィルム１２４が除去されておらず、
前記カバーレイフィルム１２４が除去された部分１２１には前記配線パターン１１９が存在しないことを特徴とするフレキシブル基板１１３の折り曲げ構造。
【請求項２】
カバーレイフィルム１２４が除去されるのは、
前記フレキシブル基板１１３を前記折り曲げ部１１５にて１８０°折り曲げた時に内側に来る側のカバーレイフィルム１２４であることを特徴とする請求項１に記載のフレキシブル基板１１３の折り曲げ構造。
【請求項３】
フレキシブル基板１１３は折り曲げ部１１５の近傍で前記折り目と平行な方向にＬ字状に延伸する腕部を有し、
前記四つの突起内の一つがＬ字状に延伸する腕部であることを特徴とする請求項１又は請求項２に記載のフレキシブル基板１１３の折り曲げ構造。
【請求項４】
前記Ｌ字状に延伸する腕部の前記折り目に近い側の辺に接する様に補強板１１８が貼られていることを特徴とする請求項４に記載のフレキシブル基板１１３の折り曲げ構造。
【請求項５】
請求項１乃至請求項４の何れか一項に記載のフレキシブル基板１１３の折り曲げ構造を用いた電子機器１０１。
【発明の詳細な説明】
【技術分野】
【０００１】
本発明は、フレキシブル基板の折り曲げ指標、及び、この折り曲げ指標を用いたフレキシブル基板を有する電子機器に関するものである。
【背景技術】
【０００２】
従来から、可撓性を有する基板であるフレキシブル基板が種々の電子機器において利用されている。フレキシブル基板は電子機器内の各種電子素子と制御用基板との間の電気信号を通すために用いられているが、電子機器内のフレキシブル基板の這い回し上の理由により折り曲げ部が設けられる場合がある。この折り曲げ部の位置が安定しないと、フレキシブル基板が電子機器内の所定の位置に収容されず、種々の不都合を引き起こす畏れがあった。
【０００３】
フレキシブル基板の折り曲げ位置を安定させるための発明として、特許文献１には以下の様な技術が開示されている。折り曲げて製品に使用するフレキシブルプリントサーキットにおいて、ダミーのパターン部を折り曲げ位置の両側に形成し、そのダミーパターン部をガイドとして折り曲げ作業を行うフレキシブルプリントサーキット。
【先行技術文献】
【特許文献】
【０００４】
【特許文献１】特開平５−２５９５８８号公報
【発明の概要】
【発明が解決しようとする課題】
【０００５】
しかし、前述した従来の技術には以下の様な課題があった。特許文献１においては、ダミーパターンを設けて曲げ指標としているので、ダミーパターンがどの信号とも繋がらない浮きパターンとなり、不要輻射ノイズ不良化の要因となる懸念がある。また、ある程度大きなダミーパターンを設定しないと所望の位置で自然と曲がる様にならないので、パターン設計上の制約となる。
【０００６】
そこで、本発明は、浮きパターンを用いずに、フレキシブル基板が所望の位置で自然と曲がる様にすることが出来るフレキシブル基板の折り曲げ指標を提供することを目的とする。
【課題を解決するための手段】
【０００７】
上記目的を達成するために、本発明によるフレキシブル基板の折り曲げ構造は、配線パターンと前記配線パターンを保護するカバーレイフィルムと１８０°折り曲げ部を有するフレキシブル基板において、前記フレキシブル基板の対向する辺のそれぞれに二つずつ、各辺合わせて計四つの突起を設け、前記突起は前記折り曲げ部の折り目と略平行な方向に前記フレキシブル基板から突出した形状であって、各辺の２つの突起の間が前記折り曲げ部となり、前記４つの突起に囲まれた領域の一部の部分のカバーレイフィルムが除去されており、前記各突起の前記折り目と垂直な方向の幅に該当する部分のカバーレイフィルムが除去されておらず、前記カバーレイフィルムが除去された部分には前記配線パターンが存在しないことを特徴とする。
【発明の効果】
【０００８】
本発明によれば、浮きパターンを用いずに、フレキシブル基板が所望の位置で自然と曲がる様にすることが出来るフレキシブル基板の折り曲げ指標を提供することが可能となる。
【図面の簡単な説明】
【０００９】
【図１】デジタルカメラの外観斜視図
【図２】デジタルカメラの分解斜視図
【図３】一部部材を取り外した状態のデジタルカメラの外観斜視図
【図４】第１の実施例によるフレキシブル基板の折り曲げ部近傍の外観図
【図５】第１の実施例によるフレキシブル基板の断面模式図
【図６】第２の実施例によるフレキシブル基板の折り曲げ部近傍の外観図
【図７】第２の実施例によるフレキシブル基板の断面模式図
【発明を実施するための形態】
【００１０】
＜第１の実施例＞
以下、本発明の第１の実施例によるフレキシブル基板の折り曲げ指標を用いたフレキシブル基板を有する電子機器について添付の図面に基づいて詳細に説明する。
【００１１】
図１（ａ）、（ｂ）はそれぞれ、本発明の第１の実施の形態に係るデジタルカメラ１０１を前面、後面が見える角度から見た外観斜視図である。
【００１２】
本実施例では、電子機器としてデジタルカメラ１０１を例にとり説明を行う。デジタルカメラ１０１は、撮像動作を指示するレリーズボタン１０２、ズーム倍率操作手段１０３、各種撮影モードを設定するモードダイヤル１０４、各種操作を行う操作ボタン１０６ａ〜１０６ｊを備える。１０６ｃは上下左右の４方向に操作が可能な操作ボタンである。１０６ｊはデジタルカメラ１０１の電源を入れたり電源を切ったりする際に操作する電源ボタンである。１０７はデジタルカメラ１０１の外装を構成する部材の一つであるリアカバーユニットであり、１１２はデジタルカメラ１０１の外装を構成する部材の一つであるトップカバーユニットである。
【００１３】
デジタルカメラ１０１はまた、図１（ａ）中に図示されているレンズ１０５を含む複数のレンズよりなる撮影レンズ群の各々の撮影レンズを所定の位置に保持するレンズ鏡筒１１０、撮影画像等種々の情報を表示するディスプレイ１０８を備える。デジタルカメラ１０１はさらに、外部機器と通信する外部接続用コネクタを覆う端子カバー１０９等の部材を備える。
【００１４】
１１１はアクセサリシューである。アクセサリシュー１１１は外付けストロボ等のアクセサリ機器を装着するための装置である。
【００１５】
図２はデジタルカメラ１０１の分解斜視図である。  図２中で１１４はデジタルカメラ１０１の制御を司る制御基板であり、１１３は本発明による折り曲げ指標を用いたフレキシブル基板である。フレキシブル基板１１３は、アクセサリシュー１１１に装着された外付けストロボ（不図示）と制御基板１１４とを電気的に接続し必要な電気信号を伝達するための部材である。１１５は本発明による折り曲げ指標を用いて折り曲げを行った折り曲げ部である。また、フレキシブル基板１１３には外付けストロボの制御に必要な種々の電子素子１３４が実装されている。更に、フレキシブル基板１１３の折り曲げ部１１５近傍には補強板１１８が貼り付けられている。補強板１１８の材料は種々のものが考えられるが、例えばポリイミド等の材料が用いられる。
【００１６】
図３はリアカバーユニット１０７とトップカバーユニット１１２を取り外した状態のデジタルカメラ１０１の外観斜視図である。図２中では折り曲げ部１１５が折り曲げられている状態を示していたが、図３中では折り曲げ部１１５が折り曲げられる前の状態を示している。図３に示されている様に、フレキシブル基板１１３にはフレキシブル基板側コネクタ１１６が実装されており、制御基板１１４には制御基板側コネクタ１１７が実装されている。折り曲げ部１１５を図２に示す様に折り曲げ、フレキシブル基板側コネクタ１１６と制御基板側コネクタ１１７の位置を合わせて、フレキシブル基板側コネクタ１１６を制御基板側コネクタ１１７に挿し込むことにより、フレキシブル基板側コネクタ１１６と制御基板側コネクタ１１７を介して制御基板１１４からフレキシブル基板１１３に電気信号を伝達し外付けストロボの動作を制御することが可能となる。
【００１７】
次に、図４と図５を用いて本発明による折り曲げ部１１５の折り曲げ指標について説明を行う。図４は、折り曲げ部１１５にて折り曲げていない状態のフレキシブル基板１１３の折り曲げ部１１５近傍を折り曲げ部の谷側となる面から見た外観図である。図５は図４中の一点鎖線Ａ−Ａの断面の模式図である。
【００１８】
図５に示されている様に、フレキシブル基板１１３は電気信号を伝達するための二層の配線層を有する。１１９は第一の配線層に設けられた第一の配線パターン群であり、１２６は第二の配線層に設けられた第二の配線パターン群である。第一の配線パターン群１１９及び第二の配線パターン群１２６の材料には銅等の導電性の金属が用いられる。第一の配線パターン群１１９と第二の配線パターン群１２６はいずれもベースフィルム１２９上に形成されている。また、ベースフィルム１２９の第一の配線パターン群１１９側には第一の接着材１２５によって第一のカバーレイフィルム１２４が貼りつけられており、ベースフィルム１２９の第二の配線パターン群１２６側には第二の接着材１２８によって第二のカバーレイフィルム１２７が貼りつけられている。第一のカバーレイフィルム１２４の役割は第一の配線パターン群１１９の保護及び絶縁であり、第二のカバーレイフィルム１２７の役割は第二の配線パターン群１２６の保護及び絶縁である。ベースフィルム１２９、第一のカバーレイフィルム１２４、及び、第二のカバーレイフィルム１２７の材料は種々のものが考えられるが、例えばポリイミド等の材料が用いられる。
【００１９】
図４中の鎖線Ｂにてフレキシブル基板１１３は曲げられる。図４に示されている様に、折り曲げ部１１５近傍の第一の配線パターン群１１９が存在しない箇所には、第一のカバーレイフィルム１２４を除去した第一の除去部１２０、第二の除去部１２１、及び、第三の除去部１２２が設けられている。また、折り曲げ部１１５近傍には、第一の突起１３０、第二の突起１３１、及び、第三の突起１３２が設けられている。さらに、折り曲げ部１１５近傍で、フレキシブル基板１１３は鎖線Ｂと略平行な方向にＬ字状に曲がっており、曲がった先の辺に接する様に補強板１１８が貼り付けられている。フレキシブル基板１１３の鎖線Ｂと略平行な方向にＬ字状に曲がっている箇所は、後に述べる様に、第一の突起１３０、第二の突起１３１、及び、第三の突起１３２と同様な役割を果たすので、突起の変形例として捉えることが出来る。
【００２０】
フレキシブル基板１１３の折り曲げ部１１５近傍は以上の様に構成されているので、以下の様な効果を発揮する。第一のカバーレイフィルム１２４を除去した箇所は、除去していない箇所に較べて厚みが薄くなるので、柔らかく曲がりやすい。つまり、折り曲げ部１１５は曲がりやすくなっている。また、第一の突起１３０と第三の突起１３２との間の領域（図４中の破線Ｃで囲まれた領域）は鎖線Ｂの方向に幅が広くなっており、更にカバーレイフィルム１２４が除去されていないので、折り曲げ部１１５と比較して鎖線Ｂと略平行な折り目で折り曲がりにくくなっている。また、第二の突起１３１と鎖線Ｂと略平行な方向にＬ字状に曲がっている箇所との間の領域（図４中の破線Ｄで囲まれた領域）は鎖線Ｂの方向に幅が広くなっており、更にカバーレイフィルム１２４が除去されていない上に、補強板１１８が貼られているので、折り曲げ部１１５と比較して鎖線Ｂと略平行な折り目で折り曲がりにくくなっている。従って、折り曲げ部１１５近傍を曲げようとすると、自然と破線Ｃで囲まれた領域と破線Ｄで囲まれた領域の間の部分が折り曲がるので、曲げ位置が安定し作業性が良好である。また、フレキシブル基板１１３はカバーレイフィルムが除去されている側に曲がりやすいので、折り曲げ部１１５を折り曲げた際に谷側となる方のカバーレイフィルムである第一のカバーレイフィルム１２４を除去することによって、自然と曲がり方向が所望の方向となり、作業性が良い。
【００２１】
＜第２の実施例＞
以下、本発明の第２の実施例によるフレキシブル基板の折り曲げ指標を用いたフレキシブル基板について添付の図面に基づいて詳細に説明する。
【００２２】
図６は、折り曲げ部２１５にて折り曲げられる第２の実施例によるフレキシブル基板２１３の折り曲げ部２１５近傍の折り曲げていない状態を折り曲げ部の谷側となる面から見た外観図である。図７は図６中の一点鎖線Ｅ−Ｅの断面の模式図である。
【００２３】
図７に示されている様に、フレキシブル基板２１３は電気信号を伝達するための二層の配線層を有する。２１９は第一の配線層に設けられた第一の配線パターン群であり、２２６は第二の配線層に設けられた第二の配線パターン群である。第一の配線パターン群２１９と第二の配線パターン群２２６はいずれもベースフィルム２２９上に形成されている。また、ベースフィルム２２９の第一の配線パターン群２１９側には第一の接着材２２５によって第一のカバーレイフィルム２２４が貼りつけられており、ベースフィルム２２９の第二の配線パターン群２２６側には第二の接着材２２８によって第二のカバーレイフィルム２２７が貼りつけられている。
【００２４】
図６中の鎖線Ｆにてフレキシブル基板２１３は曲げられる。図６に示されている様に、折り曲げ部２１５近傍の第一の配線パターン群２１９が存在しない箇所には、第一のカバーレイフィルム２２４を除去した除去部２２１が設けられている。また、折り曲げ部２１５近傍には、第一の突起２３０、第二の突起２３１、第三の突起２３２、及び、第四の突起２３３が設けられている。
【００２５】
フレキシブル基板２１３の折り曲げ部２１５近傍は以上の様に構成されているので、以下の様な効果を発揮する。第一のカバーレイフィルム２２４を除去した箇所は、除去していない箇所に較べて厚みが薄くなるので、柔らかく曲がりやすい。つまり、折り曲げ部２１５は曲がりやすくなっている。また、第一の突起２３０と第三の突起２３２との間の領域（図６中の破線Ｇで囲まれた領域）は鎖線Ｆの方向に幅が広くなっており、更にカバーレイフィルム２２４が除去されていないので、折り曲げ部２１５と比較して鎖Ｆと略平行な折り目で折り曲がりにくくなっている。また、第二の突起２３１と第四の突起２３３との間の領域（図６中の破線Ｈで囲まれた領域）は鎖線Ｆの方向に幅が広くなっており、更にカバーレイフィルム２２４が除去されていないので、折り曲げ部２１５と比較して鎖線Ｆと略平行な折り目で折り曲がりにくくなっている。従って、折り曲げ部２１５近傍を曲げようとすると、自然と破線Ｇで囲まれた領域と破線Ｈで囲まれた領域の間の部分が折り曲がるので、曲げ位置が安定し作業性が良好である。また、フレキシブル基板２１３はカバーレイフィルムが除去されている側に曲がりやすいので、折り曲げ部２１５を折り曲げた際に谷側となる方のカバーレイフィルムである第一のカバーレイフィルム２２４を除去することによって、自然と曲がり方向が所望の方向となり、作業性が良い。
【００２６】
＜その他の実施例＞
実施例においては、２層の配線層を有するフレキシブル基板を例にとり説明を行ったが、フレキシブル基板の配線層は１層でも良いし３層以上でも勿論良い。
【００２７】
なお、上記の実施形態は、いずれも本発明を実施するに当たっての具体化の例を示したものに過ぎず、これらによって本発明の技術範囲が限定的に解釈されてはならない。本発明はその技術思想又はその主要な特徴から逸脱することなく、様々な形で実施することが可能である。
【符号の説明】
【００２８】
１０１  デジタルカメラ、１１３  フレキシブル基板、１１５  折り曲げ部、
１１８  補強板、１１９  第一の配線パターン群、１２１  第二の除去部、
１２４  カバーレイフィルム、１３０  第一の突起、１３１  第二の突起、
１３２  第三の突起
【図１】
2016018788.tif 000003
【図２】
2016018788.tif 000004
【図３】
2016018788.tif 000005
【図４】
2016018788.tif 000006
【図５】
2016018788.tif 000007
【図６】
2016018788.tif 000008
【図７】
2016018788.tif 000009